(57)【要約】【課題】出入が容易な愛玩動物用の浴槽。【解決手段】愛玩動物用の浴槽１の周壁３に側部開口２１が形成される。側部開口２１の内側には内蓋３１が取り外し可能に設けられる。内蓋３１には、周壁３の頂縁２２に対しての引っ掛け手段３３と、引っ掛け手段３３を使用して頂縁２２から垂下させた状態の内蓋３１を浴槽１の内面に圧接させて側部開口２１を閉じることを可能にする浴槽１に対しての取り付け手段３６とを有する。【選択図】図１
2008000095.tif 000002
【特許請求の範囲】
【請求項１】
排水が可能に形成された底部と、前記底部の周縁部分から立ち上がる周壁部とを有し、前記周壁部によって頂部開口が形成されている浴槽であって、
前記周壁部には、前記周壁部の頂縁から前記底部に向かって延びていて前記浴槽の内外に通じる側部開口が形成されており、前記側部開口には、前記側部開口の周縁における前記周壁部の内面に水密状態で当接し得るように高さ方向と幅方向との寸法が前記側部開口よりも大きく作られた内蓋が取り外し可能に設けられており、
前記内蓋が、前記側部開口の両側近傍における前記周壁部の頂縁からの垂下を可能にする前記頂縁に対しての引っ掛け手段を前記内蓋の頂部に有するとともに、垂下した状態の前記内蓋を前記周壁部の内面に圧接させて前記側部開口を閉じることを可能にする前記浴槽に対しての取り付け手段を前記内蓋の外面に有していることを特徴とする前記浴槽。
【請求項２】
前記引っ掛け手段が、前記内蓋の頂部を逆Ｕ字形に屈曲させることにより形成されている請求項１記載の浴槽。
【請求項３】
前記取り付け手段は、前記浴槽の外側に設けられる掛け金に対しての相手方となる受け金であり、前記受け金が前記内蓋の外面側に設けられている請求項１または２記載の浴槽。
【請求項４】
前記掛け金が、前記側部開口を横切ることが可能なように前記浴槽に設けられている支持部材に取り付けられている請求項３記載の浴槽。
【請求項５】
前記周壁部の内面が、前記側部開口の近傍において、前記頂縁から前記底部に向かって下り勾配となる傾斜を有している請求項１〜４のいずれかに記載の浴槽。
【発明の詳細な説明】
【技術分野】
【０００１】
この発明は、浴槽に関し、より詳しくは犬等の愛玩動物に対して使用するのに好適な浴槽に関する。
【背景技術】
【０００２】
従来、犬等の愛玩動物を入浴させたり、シャワー洗浄したりすることはよく知られている。例えば、特開平１１−２０６２５９号公報（特許文献１）には、愛玩動物のための浴槽として使用するのに好適な装置が開示されている。この装置における浴槽の側壁には愛玩動物の出入口となる切り込み部が形成されており、その切り込み部を閉じている閉鎖用板片を外すことによって愛玩動物を浴槽の中へ導くことができる。愛玩動物の入浴中には、閉鎖用板片で出入口を閉じておくことによって、愛玩動物が浴槽の外へ出ることを防止できる。なお、この装置は、浴槽の水をろ過しながら循環させて、愛玩動物を洗浄することができるようにも作られている。
【特許文献１】特開平１１−２０６２５９号公報
【発明の開示】
【発明が解決しようとする課題】
【０００３】
特許文献１に記載の装置は、出入口用の切り込み部に閉鎖用板片を嵌合させるだけであるから、浴槽に張る水の水位は出入口よりも低くしなければならず、それでは、その水位が愛玩動物の入浴には足りないという場合がある。また、出入口を開閉するには、そのつど閉鎖用板片を切り込み部に嵌合させたり外したりしなければならないという手間を要する。
【０００４】
そこで、この発明では、従来の浴槽におけるこのような難点を解消することができるように、従来の浴槽に対して改良を施すことを課題にしている。
【課題を解決するための手段】
【０００５】
前記課題を解決するために、この発明が対象とするのは、排水が可能に形成された底部と、前記底部の周縁部分から立ち上がる周壁部とを有し、前記周壁部によって頂部開口が形成されている浴槽である。
【０００６】
かかる浴槽において、この発明が特徴とするところは、次のとおりである。前記周壁部には、前記周壁部の頂縁から前記底部に向かって延びていて前記浴槽の内外に通じる側部開口が形成されており、前記側部開口には、前記側部開口の周縁における前記周壁部の内面に水密状態で当接し得るように高さ方向の寸法と幅方向の寸法とが前記側部開口よりも大きく作られた内蓋が取り外し可能に設けられている。前記内蓋が、前記側部開口の両側近傍における前記周壁部の頂縁からの垂下を可能にする前記頂縁に対しての引っ掛け手段を前記内蓋の頂部に有するとともに、垂下した状態の前記内蓋を前記周壁部の内面に圧接させて前記側部開口を閉じることを可能にする前記浴槽に対しての取り付け手段を前記内蓋の外面に有している。
【０００７】
この発明の好ましい実施態様の一つにおいて、前記引っ掛け手段が、前記内蓋の頂部を逆Ｕ字形に屈曲させることにより形成されている。
【０００８】
この発明の好ましい実施態様の他の一つにおいて、前記取り付け手段は、前記浴槽の外側に設けられる掛け金に対しての相手方となる受け金であって、前記受け金が前記内蓋の外面側に設けられている。
【０００９】
この発明の好ましい実施態様の一つにおいて、前記掛け金が、前記側部開口を横切ることが可能なように前記浴槽に設けられている支持部材に取り付けられている。
【００１０】
この発明の好ましい実施態様のさらに他の一つにおいて、前記周壁部の内面が、前記側部開口の近傍において、前記頂縁から前記底部に向かって下り勾配となる傾斜を有している。
【発明の効果】
【００１１】
この発明に係る浴槽では、周壁部に形成された側部開口を閉じる内蓋が側部開口の周縁において水密状態で周壁部内面に密着するから、浴槽に張った水の水位が側部開口にまで及んでも浴槽から水が漏れるということがない。内蓋には、それが周壁部に密着するように浴槽の内側から水圧が作用するので、内蓋による漏水防止効果が向上する。内蓋はまた、頂部を周壁部の頂縁に引っ掛けて垂下させることができるから、内蓋によって側部開口を閉じるときの作業が容易になる。
【００１２】
この発明において、内蓋に設けられる引っ掛け手段は、内蓋の頂部を逆Ｕ字形に屈曲させることによって容易に得ることができる。
【００１３】
また、浴槽に対する内蓋の取り付け手段が内蓋の外面側に設けられた受け金であって、この受け金に浴槽の外側に設けられている掛け金を作用させる態様のこの発明では、浴槽内部の水圧に加えて、掛け金の作用でも内蓋を周壁部の内面に密着させて、内蓋と周壁部との間からの漏水を防止することができる。
【００１４】
掛け金が、側部開口を横切る支持部材に取り付けられている態様のこの発明では、浴槽から蓋と支持部材とを外せば側部開口の近傍には、犬の出入の邪魔をするものがない。
【００１５】
周壁部が底部に向かって下り勾配となる傾斜を有している態様のこの発明では、周壁部の頂縁から垂下した内蓋をその傾斜によって支えることができて、内蓋を閉じるときに内蓋が徒に動くことを抑えることができる。
【発明を実施するための最良の形態】
【００１６】
添付の図面を参照して、この発明に係る浴槽の詳細を説明すると、以下のとおりである。
【００１７】
図１，２，３において、図１は浴槽１の部分破断斜視図であり、図２は内蓋３１が外してある浴槽１についての図１と同様な図であり、図３は図１のＩＩＩ−ＩＩＩ線断面図である。浴槽１は、愛犬の水浴びやシャワー洗浄に好適なもので、矩形の底部２と、底部２の辺々から立ち上がる周壁部３とを有し、周壁部３によって頂部開口４が形成されている。周壁部３は、頂部開口４から底部２に向かって下り勾配となる傾斜がつけられているもので、前壁部６と後壁部７と一対の側壁８とを有する。
【００１８】
底部２は、その一部分にすの子板１１が嵌められていて、すの子板１１の下には、底部２を局部的に低くすることによって貯水部１２が形成されている。貯水部１２には、水中ポンプ１０が設置されている。水中ポンプ１０は、すの子板１１を通過して貯水部１２へ流入した水を浴槽１の外へ排出するための排水管１５ａとシャワーヘッド１４へ送るための送水管１５ｂとにつながっている。排水管１５ａと送水管１５ｂとは、それぞれに取り付けられたバルブ１６ａ，１６ｂの開閉によって使い分けることができる。図３から理解できるように、送水管１５ｂからフレキシブルホース１７を介してシャワーヘッド１４へ送った水は、浴槽１に戻って再利用される。ポンプ１０としては、例えば（株）川本製作所（名古屋市）のカワペットＬを使用することができる。
【００１９】
周壁部３のうちの前壁部６には、犬が浴槽１に側方から入ることを容易にするための側部開口２１が形成されている。側部開口２１は、前壁部６の一部分をその頂縁２２から底部２に向かって切り欠くことにより形成されている。前壁部６における側部開口２１の側縁部分２３には、複数個の掛け金２４が取り付けられている。その側部開口２１は、内蓋３１を使用して浴槽１の内側から閉じることができるもので、図１には、側部開口２１を閉じている内蓋３１が実線で示されており、側部開口２１を閉じる前の内蓋３１が仮想線で示されている。
【００２０】
内蓋３１は、その高さ方向の寸法と幅方向の寸法とが側部開口２１の高さ方向の寸法と幅方向の寸法よりも大きく作られていて、側部開口２１を閉じるときには、内蓋３１の周縁部分を側部開口２１の縁に沿って前壁部６の内面に密着させることができる。内蓋３１のその周縁部分には、漏水防止用のパッキング材３２が取り付けられている。内蓋３１はまた、その頂部３３がほぼ逆Ｕ字形を画くように屈曲している。内蓋３１によって側部開口２１を閉じるときには、その頂部３３が、側部開口２１の両側近傍において、前壁部６の頂縁２２を上方から挟むようにして頂縁２２に引っ掛かり、内蓋３１が前壁部６の頂縁２２から前壁部６の内面に沿って斜めに垂下する。頂縁２２において、内蓋３１の頂部３３を引っ掛けるべき部位には段差３４がつけられているから、側部開口２１を閉じるときに内蓋３１を所定の位置に置くことが容易である。内蓋３１の外面には、掛け金２４の相手方となる受け金３６が取り付けられており、内蓋３１を引っ掛けるべき所定の位置に置けば、浴槽１の外側から掛け金２４を受け金３６に簡単に作用させることができて、浴槽１の内側から内蓋３１を前壁部６の内面に密着させ、側部開口２１を漏水することがないように閉じることができる内蓋３１を浴槽１に取り付けるための手段である。掛け金２４と受け金３６とは慣用のもので、受け金３６に作用させた掛け金２４は、その掛け金２４と一体のレバー２４ａを操作することによって、受け金３６に対して緊張状態になる。
【００２１】
かような内蓋３１は、掛け金２４を受け金３６に作用させるときに、浴槽１における前壁部６の頂縁２２と、傾斜している前壁部６の内面とによって支えられていて徒に動くことがないから、内蓋３１に手を当ててこれを支えることが必ずしも必要ではなく、掛け金２４と受け金３６とに対して両手を自由に使うことができる。また、内蓋３１は、掛け金２４の作用によって前壁部６の内面に密着することに加え、浴槽１に貯えられた水の圧力が内蓋３１を前壁部６の内面に密着させるように作用するので、内蓋３１は高い漏水防止効果を奏するものになる。
【００２２】
浴槽１において、水を張るには、まず、作業者が内蓋３１を外して犬を浴槽１へ導き入れ、続いて内蓋３１を閉じる。内蓋３１は、引っ掛け手段である逆Ｕ字形の頂部３３を前壁部６の頂縁２２に引っ掛けるだけで犬が外へ出ないように浴槽１をその内側から閉じておくことができるので、作業者は、掛け金２４を扱うことに専念することができる。掛け金２４を使用して内蓋３１を完全に閉じたなら、浴槽１の外部で用意した給水ホース（図示せず）等を使用して浴槽１に水を張る。浴槽１では、必要ならばポンプ１０を始動させ、バルブ１６ａを閉じる一方、バルブ１６ｂを開放して浴槽１の中で犬にシャワーを浴びせることができる。作業の終了後には、バルブ１６ｂを閉じる一方、バルブ１６ａを開放して浴槽１の水を抜いてから内蓋３１を外す。なお、図１において、前壁部６の外面には、側部開口２１の両側に把手として使用する凹部３８が形成されている。
【００２３】
図４，５は、図１とは異なる態様の浴槽１の部分破断斜視図と、図４のＶ−Ｖ線切断面を示す図である。図４の浴槽１は、内蓋３１の外面に一対のＣ字形フック部材４１が受け金として取り付けられている。浴槽１の前壁部６には、側部開口２１を横切って延びる支持バー４２が設けられている。支持バー４２は、その両端部４３が、前壁部６の外面に形成されたアーム部４４に取り外し可能に支えられている。その支持バー４２には、一対のリング部材４６が掛け金として設けられている。リング部材４６は、フック部材４１に着脱可能なリング４７と、リング４７から延びて支持バー４２における透孔４２ａを貫通している直状のねじ部４８と、そのねじ部４８に支持バー４２の外側から螺合しているヘッド４９とを有する。図示されているように、リング４７をフック部材４１に引っ掛けてヘッド４９を時計方向へ回転させると、内蓋３１を浴槽１の内面に密着させることができる。内蓋３１を外すときには、ヘッド４９を反時計方向へ回転させてリング４７をフック部材４１から外し、その後に支持バー４２をアーム部４４から外せばよい。リング４７が外れた内蓋３１は、図１における内蓋３１と同様に浴槽１から外すことができる。図４，５の態様の浴槽１は、犬が側部開口２１を通るときに、受け金や掛け金が邪魔になることがない、という点において好ましいものである。なお、図４，５の浴槽１において、内蓋３１のＣ字形のフック部材４１を環状のものに替え、支持バー４２におけるリング４７をＣ字形のものに替えてこの発明を実施することも可能である。
【００２４】
図示例において、愛犬用のものとして説明した浴槽１の用途は、犬以外の動物に使用したり、介護用のものとして使用したりすることができる。
【産業上の利用可能性】
【００２５】
この発明によれば、内蓋を閉じることが容易な浴槽の製造が可能になる。
【図面の簡単な説明】
【００２６】
【図１】浴槽の部分破断斜視図。
【図２】内蓋を外した浴槽についての図１と同様な図。
【図３】図１のＩＩＩ−ＩＩＩ線断面図。
【図４】図１とは態様の異なる浴槽の部分破断斜視図。
【図５】図４のＶ−Ｖ線切断面を示す図。
【符号の説明】
【００２７】
１    浴槽
２    底部
３    周壁部
４    頂部開口
２１    側部開口
２２    頂縁
２４    掛け金
３１    内蓋
３３    頂部、引っ掛け手段
３６    取り付け手段、受け金
４１    取り付け手段、受け金（フック部材）
４２    支持部材（支持バー）
４６    掛け金（リング部材）
【図１】
2008000095.tif 000003
【図２】
2008000095.tif 000004
【図３】
2008000095.tif 000005
【図４】
2008000095.tif 000006
【図５】
2008000095.tif 000007